(57)【要約】【課題】煤じんを集じんユニットに捕集し、堆積した煤じんを洗浄液で洗い流す電気集じん機において、電気集じん機の高さ寸法を抑制しながら、排液受部から洗浄液が溢れ出にくい電気集じん機を提供する。【解決手段】筐体３は下面を開放した箱状であり、集じんユニット２は筐体３内に設けられ、排液受部１１は排液を外に排出する排液口１４を有し、隣接する複数の集じんブロック４は１つの排液受部１１を共用した電気集じん機１を提供する。【選択図】図１
2017154035.tif 000002
【特許請求の範囲】
【請求項１】
筐体および集じんユニットからなる集じんブロックと、
前記集じんユニットの上方に設けられ、前記集じんユニットを洗浄する洗浄装置と、
前記集じんブロックの下方に設けられ、前記洗浄装置の洗浄により発生する排液を受ける排液受部とを備えた電気集じん機であって、
前記筐体は下面を開放した箱状であり、
前記集じんユニットは前記筐体内に設けられ、
前記排液受部は前記排液を外に排出する排液口を有し、
隣接する複数の前記集じんブロックは１つの前記排液受部を共用したことを特徴とする電気集じん機。
【請求項２】
前記集じんユニット内に形成される風路の通風方向と垂直な方向であって、水平な方向において、前記排液口の幅は、前記集じんブロック１つの幅よりも長いことを特徴とする請求項１に記載の電気集じん機。
【請求項３】
前記洗浄装置はヘッダー配管と洗浄ノズルと仕切弁とからなり、
前記ヘッダー配管は、前記筐体外の主配管に接続されて、前記洗浄ノズルに洗浄液を供給し、
前記洗浄ノズルは、前記筐体内において、前記ヘッダー配管と接続されて、前記洗浄液を前記集じんユニットに向けて噴霧し、
前記仕切弁は、前記主配管に設けられて、複数の前記集じんブロックの前記集じんユニットへ噴霧される洗浄液の供給を一括して開放または遮断することを特徴とする請求項１または２に記載の電気集じん機。
【請求項４】
前記洗浄装置はヘッダー配管と洗浄ノズルと仕切弁とからなり、
前記ヘッダー配管は、前記筐体外の主配管に接続されて、前記洗浄ノズルに洗浄液を供給し、
前記洗浄ノズルは、前記筐体内において、前記ヘッダー配管と接続されて、前記洗浄液を前記集じんユニットに向けて噴霧し、
前記仕切弁は、複数の前記ヘッダー配管の各々に接続されて、複数の前記集じんブロックの前記集じんユニットの各々へ噴霧される洗浄液の供給を開放または遮断し、
複数の前記集じんブロックの内、前記排液口に近い前記集じんブロックを第１集じんブロックとし、前記排液口から遠い前記集じんブロックを第２集じんブロックとし、
前記第１集じんブロックの前記集じんユニットへの洗浄液の供給をして所定時間経過後に前記第２集じんブロックの前記集じんユニットへの洗浄液の供給を行うように、前記仕切弁を制御する制御部を備えたことを特徴とする請求項１または２に記載の電気集じん機。
【請求項５】
前記排液受部は、上面を開放した枠体と、前記枠体内に設けられたドレンパンとから構成され、
前記排液口は前記枠体または前記ドレンパンに設けられ、
前記ドレンパンの底面は水平面に平行であることを特徴とする請求項１〜４の何れか１項に記載の電気集じん機。
【請求項６】
複数の前記集じんブロックの内、前記排液口から最も遠い前記集じんブロックを第３集じんブロックとし、
前記第３集じんブロックの前記筐体の側面の内、前記排液口から遠い側面の下部近傍において、前記排液口へ向かう方向に洗浄液を噴霧する補助ノズルを設けたことを特徴とする請求項１〜５の何れか１項に記載の電気集じん機。
【請求項７】
前記排液受部は、上面を開放した構造で、前面、後面、横側面、下面からなり、
前記排液受部の前記前面側から前記後面側に向かって、前記集じんユニット内に形成される風路が通風し、
前記排液口は、前記排液受部の前記前面または前記後面に設けられたことを特徴とする請求項１〜６の何れか１項に記載の電気集じん機。
【請求項８】
前記排液受部は、上面を開放した構造で、前面、後面、横側面、下面からなり、
前記排液受部の前記前面側から前記後面側に向かって、前記集じんユニット内に形成される風路が通風し、
前記排液口は、前記排液受部の前記横側面に設けられたことを特徴とする請求項１〜６の何れか１項に記載の電気集じん機。
【発明の詳細な説明】
【技術分野】
【０００１】
本発明は、自動車用トンネル等において、トンネル内等の煤じんを捕集する電気集じん機に関するものである。
【背景技術】
【０００２】
従来、この種の電気集じん機は、トンネル内の換気所要風量を満足するために、複数の集じんブロックで構成されており、集じんユニットを収納する筐体が通風方向に対して水平横向きに隣接して設置される。
【０００３】
集じんユニットで捕集した煤じんは定期的に水などの洗浄液で洗浄する。電気集じん機の洗浄装置は洗浄液を噴霧する複数の洗浄ノズルを装着した配管と、この配管に洗浄液を供給する仕切弁が備えられている。そして仕切弁および配管を介して供給される高圧で多量の洗浄液を洗浄ノズルから噴霧して極板表面などに堆積した煤じんを洗い流す。洗浄に用いた排液は自然落下し、下部の排液部に集められ、排液口から排出される。
【０００４】
近年、道路トンネルの換気設備として設置される電気集じん機は車道の天井部等に設置されるようになり、高さ寸法の削減が求められている。
【０００５】
例えば特許文献１のように、排液口を排出部のドレンパン外周以外、すなわち排出部の下方向に設け、排液溝へ排液する電気集じん機が発案されている。
【０００６】
図１１（ａ）および（ｂ）に示す従来の電気集じん機１０１は、集じんユニット１０２が筐体１０３の内部に収納されている。ここでは、３つの集じんブロックで構成され、筐体が通風方向に対して水平横向きに３台隣接して設置される。
【０００７】
各々の筐体内部には、集じんユニットを洗浄する洗浄装置１０４が備わっている。洗浄装置１０４は洗浄液を噴霧する複数の洗浄ノズル１０５を装着した配管と、この配管に洗浄液を供給する仕切弁（図示せず）が各々の筐体に備えられている。
【０００８】
そして仕切弁と配管を介して供給される高圧で多量の洗浄液が洗浄ノズルから所定時間噴霧され集じんユニットの極板表面などに堆積した煤じんを洗い流す。
【０００９】
また、集じんユニットの下方には底面に排液口（排水口１０９）を設けた排液受部（排出部１０８）と排液受部を支える架台１０７が配置され、排液は排液受部の下に設けた排液ダクト（排水溝１１０）へ排液される。
【先行技術文献】
【特許文献】
【００１０】
【特許文献１】特開平７−３２８４８０号公報
【発明の概要】
【発明が解決しようとする課題】
【００１１】
しかしながら、従来の電気集じん機では、排液受部のドレンパンの勾配が少なく容積が小さい場合には、洗浄液が電気集じん機の機外に溢れてしまう。また、トンネル内の煤じんを含む洗浄排液は粘度が高いため、排液受部にドレンが堆積して排液口を目詰りする課題を有する。
【００１２】
一方で、排出される排液量を増加させるためにドレンパンの勾配を多く与えると、ドレンパンの高さが高くなり、それに伴い電気集じん機の高さが高くなる課題を有する。
【００１３】
また、排液溝を作ることができない建築条件の場合には成立しないし、建築条件に合致して排液溝が製作可能な場合でも排液溝を作る工事コストは膨らむことになる。
【００１４】
電気集じん機は寸法制約が厳しいトンネル内や換気塔内に設置される装置なので、外形寸法の増大が大きな課題になる。
【００１５】
そこで本発明は、上記従来の課題を解決するものであり、電気集じん機の外形寸法の増大を抑制しながらも、洗浄排液が電気集じん機の機外へ溢れることを抑制する電気集じん機を提供することを目的とする。
【課題を解決するための手段】
【００１６】
そして、この目的を達成するために、本発明の一態様に係る電気集じん機は、筐体および集じんユニットからなる集じんブロックと、前記集じんユニットの上方に設けられ、前記集じんユニットを洗浄する洗浄装置と、前記集じんブロックの下方に設けられ、前記洗浄装置の洗浄により発生する排液を受ける排液受部とを備えた電気集じん機であって、前記筐体は下面を開放した箱状であり、前記集じんユニットは前記筐体内に設けられ、前記排液受部は前記排液を外に排出する排液口を有し、隣接する複数の前記集じんブロックは１つの前記排液受部を共用したことを特徴としたものであり、これにより所期の目的を達成するものである。
【発明の効果】
【００１７】
本発明によれば、電気集じん機の外形寸法の増大を抑制しながらも、洗浄液が電気集じん機の機外へ溢れることを抑制することができる。
【図面の簡単な説明】
【００１８】
【図１】本発明の実施例１の電気集じん機の横断面図
【図２】同平面図
【図３】筐体の形状を示す斜視図
【図４】排液受部の形状を示す斜視図
【図５】本発明の第１変形例の電気集じん機の構成を示す説明図
【図６】本発明の第２変形例の電気集じん機の構成を示す説明図
【図７】本発明の第３変形例の電気集じん機の構成を示す説明図
【図８】本発明の第４変形例の電気集じん機の構成を示す説明図
【図９】本発明の第５変形例の電気集じん機の構成を示す説明図
【図１０】本発明の第６変形例の電気集じん機の構成を示す説明図
【図１１】（ａ）従来の電気集じん機の構成を示す横断面図（ｂ）同平面図
【発明を実施するための形態】
【００１９】
本発明の一態様に係る電気集じん機は、筐体および集じんユニットからなる集じんブロックと、前記集じんユニットの上方に設けられ、前記集じんユニットを洗浄する洗浄装置と、前記集じんブロックの下方に設けられ、前記洗浄装置の洗浄により発生する排液を受ける排液受部とを備えた電気集じん機であって、前記筐体は下面を開放した箱状であり、前記集じんユニットは前記筐体内に設けられ、前記排液受部は前記排液を外に排出する排液口を有し、隣接する複数の前記集じんブロックは１つの前記排液受部を共用した構成を有する。
【００２０】
これにより、排液受部の高さを大きくしなくても、排液受部を共用する集じんブロックの数だけ排液受部の容積は大きくなり、洗浄排液を排液受部で一旦貯留する量を増大させることができる。すなわち、高さ寸法を抑制しながらも洗浄液が溢れ出にくい電気集じん機を提供できる効果を奏する。
（実施の形態）
図１から図１０を用いて本発明の電気集じん機について説明する。
【００２１】
電気集じん機１は集じんユニット２が筐体３の内部に収納された１つまたは複数の集じんブロック４から構成される。本実施の形態の電気集じん機１は３つの集じんブロック４が通風方向に対して水平横向きに隣接して設置される場合について説明する。
【００２２】
煤じんを含む気流２０は筐体３の風路中に設けられた集じんユニット２を通過する。
【００２３】
集じんユニット２は通風方向に平行な複数の平板状の極板で構成され、高電圧を印加することで通過する煤じんを極板表面に捕集する。
【００２４】
また、集じんユニット２は捕集した煤じんが堆積し続けると絶縁抵抗が低下し、スパークを発生して集じん性能が低下するため、定期的に煤じんを洗い流す必要があり、洗浄液を集じんユニット２に噴霧する洗浄装置５を備えている。
【００２５】
ここでは、洗浄装置５は集じんユニット２の上方に配置され、洗浄液を筐体３の内部へ送るヘッダー配管６と仕切弁７と集じんユニット２に向けられた複数の洗浄ノズル８で構成している。また、ヘッダー配管６は、筐体３外の主配管９に接続されて、洗浄ノズル８に洗浄液を供給する。
【００２６】
仕切弁７は制御部１０によって開放または遮断され、仕切弁７を有する集じんブロック毎に一定の時間、かつ所定の時間間隔で順番に洗浄液を集じんユニット２に噴霧する。尚、洗浄ノズル８は集じんユニット２の上方から噴霧する構成にしているが、通風方向の前面、もしくは後面から噴霧してもよい。また、洗浄液は単なる水であってもよい。
【００２７】
図３に筐体３の形状を示す。筐体３は通風方向の前面、後面、および下面が開放された、たとえば長方形状である。通風方向の前面から流入する気流は、内部の集じんユニット（図示せず）を通り、後面から流出する。トンネルの電気集じん機において、一般的な筐体の寸法は、例えば、通風方向の奥行がおよそ１５００ｍｍ、通風方向に垂直な幅がおよそ２０００ｍｍ、高さ寸法は２０００ｍｍ〜４０００ｍｍである。
【００２８】
次に、集じんユニット２を洗った洗浄排液は、重力により自然落下するが、筐体３の下面が開放されているため、下方の排液受部１１で受け留められる。
【００２９】
ここで、図４を用いて排液受部１１の構造を説明する。排液受部１１は上面を開放した枠体１２と、枠体１２内に設けられた排液の受け皿となるドレンパン１３で構成される。排液受部１１の高さ寸法は、洗浄排液の量によって５０ｍｍ〜５００ｍｍの範囲で設計されることが多い。
【００３０】
尚、ドレンパン１３は、排液口１４の方向に水平面に対して、例えば２°〜１０°傾けており、洗浄排液が排液口１４に集まるように構成する。但し、排液受部１１はドレンパン１３がなく、枠体１２の底面で排液を受ける構成としても良い。
【００３１】
次に、排液受部１１に自然落下した排液は、排液受部１１で一旦貯留され排液口１４から排液ダクト１５を通り機外へ排出される。
【００３２】
図１および図２の電気集じん機１は隣接する３つの集じんブロック４に対して１つの排液受部１１を共用している。
【００３３】
これにより、１つの集じんブロックにおける排液受部１１の容積は、高さを固定した場合、およそ３倍に大きくなり、排液受部１１で一旦貯留できる排液量が増大するので、排液受部１１の高さ寸法をたとえば３分の１に小さくしても洗浄排液が溢れ出ない。このようにすることで電気集じん機の高さ寸法は抑制できる。
【００３４】
尚、隣接集じんブロックの数は設計要件であり、本実施例では隣接する３つの集じんブロックを有する電気集じん機で説明しているが、これが２つまたは４つ以上の集じんブロックに対して１つの排液受部１１を共用する形態であっても同様の効果を得られる。
【００３５】
次に、図５に示すように排液口１４の幅は、筐体３の内部に形成される風路の通風方向と垂直な方向であって、水平な方向において、集じんブロック４の幅よりも長くしてもよい。
【００３６】
これにより、排液口１４の高さが小さくても面積は大きく取れるため、排液受部１１から排液ダクト１５へ排出できる排液量を増加させることができる。すなわち高さ寸法を抑制しながら、集じんユニットから排液受部１１へ自然落下する排液量が増加しても排液受部１１から排液が溢れ出にくい電気集じん機を提供できる。
【００３７】
ここで、排液口１４はたとえば横長の長方形状であり、排液受部１１の通風方向と垂直な面において、電気集じん機１の中央に設けているが、電気集じん機の端部に寄った位置にあってもよい。更に、排液口１４は排液受部１１を構成する枠体の底面に設けられていても良い。
【００３８】
次に、図６に示すように洗浄装置５はヘッダー配管６と洗浄ノズル８と仕切弁７とからなり、ヘッダー配管６は、筐体３外の主配管９に接続されて、洗浄ノズル８に洗浄液を供給する。また、洗浄ノズル８は筐体３内において、ヘッダー配管６と接続されて、洗浄液を集じんユニットに向けて噴霧する。ここで仕切弁７は、主配管９に設けて、複数の集じんブロック４の集じんユニット２へ噴霧される洗浄液の供給を一括して開放または遮断する構成にしてもよい。
【００３９】
これにより、電気集じん機の高さを抑制しながら、排液受部１１で一旦貯留できる液量が増大しているため、複数の集じんブロックを同時に洗浄し洗浄排液量が増大しても排液受部１１から排液が溢れ出しにくい。また、洗浄による集じん機能の休止時間を削減できるばかりでなく、仕切弁の数が減少することによる製作コスト抑制と、複雑な制御を持たなくてもよくなる。
【００４０】
次に、図７に示すように仕切弁７は、複数のヘッダー配管６の各々に接続されて、複数の集じんブロック４の集じんユニット２の各々へ噴霧する洗浄液の供給を開放または遮断する。ここで複数の集じんブロック４の内、排液口１４に近い集じんブロックを第１集じんブロック１６とし、排液口１４から遠い集じんブロックを第２集じんブロック１７とした場合に、第１集じんブロック１６の集じんユニット２への洗浄液の供給をして所定時間経過後に第２集じんブロック１７の前記集じんユニット２への洗浄液の供給を行うように、仕切弁７を制御する制御部を備えた構成にしてもよい。
【００４１】
これにより、排液口１４に近い第１集じんブロック１６からの排液ドレンが排液受部１１に堆積しても、その後に排液口１４に遠い第２集じんブロック１７からの洗浄排液によって、堆積したドレンが排液口１４から排液ダクトへ排出される。そのため、少ない液量で排液受部１１にドレンが堆積せず、排液口１４の目詰まりを防止できるので排液受部１１から排液が溢れ出さない。
【００４２】
次に、図８に示すように排液受部１１のドレンパン１３の底面は水平面に平行としてもよい。
【００４３】
これにより、排液受部１１の高さが低くできるので電気集じん機の高さ寸法は抑制できる。但し、排液受部１１はドレンパン１３がなく、枠体１２の底面で排液を受ける構成と、枠体の底面を水平面に平行にしても良い。ここで、水平面は±２°傾いた略水平面を含む。
【００４４】
次に、図９に示すように複数の集じんブロック４の内、排液口１４から最も遠い集じんブロックを第３集じんブロック１８とする。第３集じんブロック１８の筐体３の側面の内、排液口１４から遠い側面はヘッダー配管６を筐体下部まで伸ばし、ヘッダー配管６の先端において、排液口１４へ向かう方向に洗浄液を噴霧する補助ノズル１９を設けた構成にしてもよい。
【００４５】
これにより、第３集じんブロック１８を洗浄すると同時に排液受部１１の全体を洗い流すことができる。そのため、排液受部１１にはドレンが堆積せず、排液口１４の目詰まりを防止できるので排液受部１１から洗浄排液が溢れ出さない。尚、従来の電気集じん機では複数の集じんブロックに対して各々の排液受部１１を有しているため、同様の効果を得るためには、各々の排液受部１１に対して補助ノズルを設けて洗い流す必要があるが、本発明によれば節水できる。
【００４６】
次に、排液口１４は排液受部１１の通風方向の前面または後面に設けた構成にしてもよい。
これにより、複数の集じんブロックからなる電気集じん機の場合、通風方向に対して水平縦向きの長さは、横向きの長さよりも短くなるため、排液受部１１の高さが小さくてもドレンパンの傾斜角度をより大きくできるので、排液ダクトへの排出量を増加させることができる。
【００４７】
次に、図１０に示すように排液口１４は、排液受部１１の横側面に設けてもよい。
【００４８】
これにより、排液ダクト１５は筐体３のたとえば側面に設けられることになり、通風方向の前面、または後面に排液ダクト１５の凹凸が無くなり、リフターを近づけられるので点検作業が行いやすくなる。
【００４９】
以下、実施の形態で説明した電気集じん機について、補足する。
【００５０】
本発明の一態様に係る電気集じん機１は、筐体３および集じんユニット２からなる集じんブロック４と、前記集じんユニット２の上方に設けられ、前記集じんユニット２を洗浄する洗浄装置５と、前記集じんブロック４の下方に設けられ、前記洗浄装置５の洗浄により発生する排液を受ける排液受部１１とを備えた電気集じん機１であって、前記筐体３は下面を開放した箱状であり、前記集じんユニット２は前記筐体３内に設けられ、前記排液受部１１は前記排液を外に排出する排液口１４を有し、隣接する複数の前記集じんブロック４は１つの前記排液受部１１を共用した構成を有する。
【００５１】
これにより、排液受部１１の高さを大きくしなくても、排液受部１１を共用する集じんブロック４の数だけ排液受部１１の容積は大きくなり、洗浄排液を排液受部１１で一旦貯留する量を増大させることができる。すなわち、高さ寸法を抑制しながらも、排液受部１１から洗浄液が溢れ出にくい電気集じん機１を提供できる。
【００５２】
また、前記集じんユニット２内に形成される風路の通風方向と垂直な方向であって、水平な方向において、前記排液口１４の幅は、前記集じんブロック４の１つの幅よりも長いという構成にしてもよい。
【００５３】
これにより、排液口１４の高さが大きくなくても、排液口１４からの排液量を増加させることができる。すなわち、排液受部１１に落下する排液の流入量が増加しても高さ寸法を抑制しながら、排液受部１１から排液が溢れ出にくい電気集じん機を提供できる。
【００５４】
また、前記洗浄装置５はヘッダー配管６と洗浄ノズル８と仕切弁７とからなり、前記ヘッダー配管６は、前記筐体３外の主配管９に接続されて、前記洗浄ノズル８に洗浄液を供給し、前記洗浄ノズル８は、前記筐体３内において、前記ヘッダー配管６と接続されて、前記洗浄液を前記集じんユニット２に向けて噴霧し、前記仕切弁７は、前記主配管９に設けられて、複数の前記集じんブロック４の前記集じんユニット２へ噴霧される洗浄液の供給を一括して開放または遮断するという構成にしてもよい。
【００５５】
これにより、複数の集じんブロック４を同時に洗浄可能になる。排液受部１１で一旦貯留できる液量が増大しているため、複数の集じんブロックを同時に洗浄しても排液が溢れ出しにくい電気集じん機１を提供できる。そのため、洗浄による集じん機能の休止時間を削減できるばかりでなく、仕切弁７の数が減少することによる製作コスト抑制と、複雑な制御を持たなくてもよくなる。
【００５６】
また、前記洗浄装置５はヘッダー配管６と洗浄ノズル８と仕切弁７とからなり、前記ヘッダー配管６は、前記筐体３外の主配管９に接続されて、前記洗浄ノズル８に洗浄液を供給し、前記洗浄ノズル８は、前記筐体３内において、前記ヘッダー配管６と接続されて、前記洗浄液を前記集じんユニット２に向けて噴霧し、前記仕切弁７は、複数の前記ヘッダー配管６の各々に接続されて、複数の前記集じんブロック４の前記集じんユニット２の各々へ噴霧される洗浄液の供給を開放または遮断し、複数の前記集じんブロック４の内、前記排液口１４に近い前記集じんブロック４を第１集じんブロック１６とし、前記排液口１４から遠い前記集じんブロック４を第２集じんブロック１７とし、前記第１集じんブロック１６の前記集じんユニット２への洗浄液の供給をして所定時間経過後に前記第２集じんブロック１７の前記集じんユニット２への洗浄液の供給を行うように、前記仕切弁７を制御する制御部１０を備えたという構成にしてもよい。
【００５７】
これにより、排液口１４に近い第１集じんブロック１６からの排液ドレンが排液受部１１に堆積しても、排液口１４に遠い第２集じんブロック１７からの洗浄排液によって、堆積したドレンが流されて排液口１４から排出される。そのため、少ない液量で排液受部１１にドレンが堆積を抑制し、排液口１４の目詰まりを抑制できるので排液受部１１から排液が溢れ出にくい電気集じん機１を提供できる。
【００５８】
また、前記排液受部１１は、上面を開放した枠体１２と、前記枠体１２内に設けられたドレンパン１３とから構成され、前記排液口１４は前記枠体１２または前記ドレンパン１３に設けられ、前記ドレンパン１３の底面は水平面に平行であるという構成してもよい。
【００５９】
これにより、排液受部１１の高さを大きくしなくても排液受部１１の容積が大きくなり、洗浄排液を排液受部１１で一旦貯留する量を増大させることができる。すなわち高さ寸法を抑制しながらも洗浄排液が溢れ出にくい電気集じん機を提供できる。
【００６０】
また、複数の前記集じんブロック４の内、前記排液口１４から最も遠い前記集じんブロック４を第３集じんブロック１８とし、前記第３集じんブロック１８の前記筐体３の側面の内、前記排液口１４から遠い側面の下部近傍において、前記排液口１４へ向かう方向に洗浄液を噴霧する補助ノズル１９を設けたという構成にしてもよい。
【００６１】
これにより、補助ノズル１９から噴霧される洗浄液により、排液受部１１に溜まるドレンを流して、排液口１４から排出することができる。すなわち、高さ寸法を抑制しながらも洗浄排液が溢れ出にくく、かつ排液受部１１に煤じんを含むドレンが堆積しにくい電気集じん機１を提供できる。
【００６２】
また、前記排液受部１１は、上面を開放した構造で、前面、後面、横側面、下面からなり、前記排液受部１１の前記前面側から前記後面側に向かって、前記集じんユニット２内に形成される風路が通風し、前記排液口１４は、前記排液受部１１の前記前面または前記後面に設けられたという構成にしてもよい。
【００６３】
これにより、排液受部１１の例えばドレンパン１３の傾斜角度を大きくできるので、排液受部１１の高さが大きくなくても、排液ダクト１５への排出量を増加させることができる。
【００６４】
また、前記排液受部１１は、上面を開放した構造で、前面、後面、横側面、下面からなり、前記排液受部１１の前記前面側から前記後面側に向かって、前記集じんユニット２内に形成される風路が通風し、前記排液口１４は、前記排液受部１１の前記横側面に設けられたという構成にしてもよい。
【００６５】
これにより、通風方向の前面、または後面に排液ダクト１５が不要になる。そのため、筐体が開放される通風方向の前面、または後面に排液ダクト１５の凹凸が無くなるので、リフターを近づけることができ、点検作業が行いやすくなる。
【産業上の利用可能性】
【００６６】
本発明に係る電気集じん機は、トンネル内等の煤じんを捕集する電気集じん機として有用である。
【符号の説明】
【００６７】
１    電気集じん機
２    集じんユニット
３    筐体
４    集じんブロック
５    洗浄装置
６    ヘッダー配管
７    仕切弁
８    洗浄ノズル
９    主配管
１０    制御部
１１    排液受部
１２    枠体
１３    ドレンパン
１４    排液口
１５    排液ダクト
１６    第１集じんブロック
１７    第２集じんブロック
１８    第３集じんブロック
１９    補助ノズル
２０    気流
【図１】
2017154035.tif 000003
【図２】
2017154035.tif 000004
【図３】
2017154035.tif 000005
【図４】
2017154035.tif 000006
【図５】
2017154035.tif 000007
【図６】
2017154035.tif 000008
【図７】
2017154035.tif 000009
【図８】
2017154035.tif 000010
【図９】
2017154035.tif 000011
【図１０】
2017154035.tif 000012
【図１１】
2017154035.tif 000013